(57)【特許請求の範囲】
【請求項１】
照明光を走査させて戻り光を検出して画像化する走査型内視鏡において、取得した画像を較正する走査型内視鏡用キャリブレーション器具であって、
前記走査型内視鏡における挿入部の先端面に設けられた照明窓に当接して突き当たり、前記照明窓から照射される照明光線の走査領域外に当接するように構成される突き当て部と、
前記照明光の走査パターンを較正するための較正パターンが描かれ、前記較正パターンの大きさに応じて前記突き当て部に前記照明窓が当接して位置決めされた表面位置から所定の距離を有して前記先端面と平行配置されるチャートと、
を有することを特徴とする走査型内視鏡用キャリブレーション器具。
【請求項２】
先端側に端部を閉塞する底部が設けられ、当該底部の壁面に前記チャートが設けられる有底筒部と、
前記有底筒部と螺合される先端側の開口部から内径方向に前記突き当て部が複数設けられる無底筒部と、を更に備えることを特徴とする請求項１に記載の走査型内視鏡用キャリブレーション器具。
【請求項３】
前記較正パターンは、中心点対称な模様であることを特徴とする請求項１に記載の走査型内視鏡用キャリブレーション器具。
【請求項４】
走査していない状態の前記照明光の光線軸が前記較正パターンの前記中心と一致するように前記挿入部の先端位置を調整する調整機構を更に備えたことを特徴とする請求項３に記載の走査型内視鏡用キャリブレーション器具。
【請求項５】
走査している状態の前記照明光の走査中心が前記較正パターンの前記中心と一致するように前記挿入部の先端位置を調整する調整機構を更に備えたことを特徴とする請求項３に記載の走査型内視鏡用キャリブレーション器具。
【請求項６】
前記突き当て部が前記先端面に設けられた検出窓を覆うことなく、前記検出窓の領域外に位置する前記照明窓に当接するように構成されていることを特徴とする請求項１に記載の走査型内視鏡用キャリブレーション器具。
【請求項７】
前記突き当て部は、光透過性を有することを特徴とする請求項１に記載の走査型内視鏡用キャリブレーション器具。
【発明の詳細な説明】
【技術分野】
【０００１】
本発明は、照明光を照射する光ファイバを走査させて戻り光を検出して画像化する走査型内視鏡に用いられ、この走査型内視鏡装置による光ファイバからの光走査軌跡較正を行う走査型内視鏡用キャリブレーション器具に関する。
【背景技術】
【０００２】
周知の如く、ＣＣＤ、ＣＭＯＳなどの固体撮像素子を有した撮像装置により被検体像を光電変換して、モニタに取得画像を表示する電子内視鏡がある。近年、このような固体撮像素子の技術を用いず、被写体像を画像表示する装置として、光源からの光を導光する照明ファイバの先端を走査させ、被検体からの戻り光を照明ファイバの周囲に配置された光ファイババンドルで受光し、経時的に検出した光強度信号を用いて画像化する内視鏡装置が知られている。【０００３】
このような光ファイバを走査して画像を取得する内視鏡装置の技術は、例えば、ＪＰ特表２０１０−５１５９４７号公報に記載された走査ビーム装置に開示されている。この特許文献１には、環境変数、製造変数、不完全な電子装置、共鳴周波数付近における内視鏡装置としての走査ファイバ装置の感度、および／又はその他の要因により、走査パターン中の個々のピクセル点に関して照明スポットの位置を推定する精度を向上させて、取得した画像の歪みを改善するために、走査ビーム装置を使用して較正パターンの画像を取得し、この取得した画像を較正パターンの表示と比較して、比較に基づいて走査ビーム装置を較正する方法が開示されている。【０００４】
しかしながら、ＪＰ特表２０１０−５１５９４７号公報に開示されるような内視鏡装置としての走査ビーム装置における画像較正に関し、走査ビーム装置と較正パターンとの位置の基準が明確に規定されていないと、理想とされる位置で較正パターンが正確に取得できず、走査ビーム装置の正確な画像較正が行えない可能性がある。【０００５】
そこで、本発明は、上述の事情に鑑みてなされたもので、簡単な構成により、走査型内視鏡の画像較正を正確に行える走査型内視鏡用キャリブレーション器具を提供することを目的とする。
【発明の開示】
【課題を解決するための手段】
【０００６】
本発明の一様態の走査型内視鏡用キャリブレーション器具は、照明光を走査させて戻り光を検出して画像化する走査型内視鏡において、取得した画像を較正する走査型内視鏡用キャリブレーション器具であって、前記走査型内視鏡における挿入部の先端面に設けられた照明窓に当接して突き当たり、前記照明窓から照射される照明光線の走査領域外に当接するように構成される突き当て部と、前記照明光の走査パターンを較正するための較正パターンが描かれ、前記較正パターンの大きさに応じて前記突き当て部に前記照明窓が当接して位置決めされた表面位置から所定の距離を有して前記先端面と平行配置されるチャートと、を有する。
【図面の簡単な説明】
【０００７】
【図１】走査型内視鏡を有する内視鏡装置の構成を示す図
【図２】同、走査型内視鏡のアクチュエータの断面図
【図３】同、アクチュエータに供給される信号波形の例を説明するための図
【図４】同、照明ファイバの走査軌跡の例を説明するための図
【図５】本発明の第１の実施の形態に係り、挿入部が挿入される走査型内視鏡用キャリブレーション器具の構成を示す斜視図
【図６】同、挿入部が挿入された状態の走査型内視鏡用キャリブレーション器具を示す斜視図
【図７】同、走査型内視鏡用キャリブレーション器具の構成を示す断面図
【図８】同、図７のＶＩＩＩ−ＶＩＩＩ線断面図
【図９】同、挿入部が挿入された状態の走査型内視鏡用キャリブレーション器具を示す断面図
【図１０】同、図９のＸ−Ｘ線断面図
【図１１】同、変形例の挿入部が挿入された状態の走査型内視鏡用キャリブレーション器具の構成を示す断面図
【図１２】同、図１１のＸＩＩ−ＸＩＩ線断面図
【図１３】同、走査型内視鏡用キャリブレーション器具に挿入された挿入部の軸合わせ構成一例を示す断面図
【図１４】本発明の第２の実施の形態に係り、挿入部が挿入された状態の走査型内視鏡用キャリブレーション器具の構成を示す断面図
【図１５】同、図１４のＸＶ線矢視図
【図１６】同、図１４のＸＶＩ−ＸＶＩ線断面図
【図１７】同、変形例の挿入部が挿入された状態の走査型内視鏡用キャリブレーション器具の構成を示す断面図
【図１８】第３の実施の形態に係り、挿入部が挿入された状態の位置調整機構を有する走査型内視鏡用キャリブレーション器具の構成を示す断面図
【図１９】同、図１８のＸＩＸ−ＸＩＸ線断面図
【図２０】同、挿入部が挿入された状態の位置調整機構に加え、傾き調整機構を有する走査型内視鏡用キャリブレーション器具の構成を示す断面図
【発明を実施するための最良の形態】
【０００８】
以下、本発明である内視鏡について説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。【０００９】
（走査型内視鏡装置）
先ず、図１および図２を用いて、走査型内視鏡を有する内視鏡装置の構成について以下に説明する。図１は、第１の実施の形態に係る内視鏡を有する内視鏡装置の構成を示す図であり、図２は第１の実施の形態に係るアクチュエータの断面図である。【００１０】
図１に示すように、内視鏡装置１は、照明光を走査させながら被検体に照射し、被検体からの戻り光を得る走査型内視鏡（以下、単に内視鏡という）２と、この内視鏡２に接続される本体装置３と、本体装置３で得られる被検体像を表示するモニタ４とを有して構成されている。【００１１】
内視鏡２は、所定の可撓性を備えたチューブ体を主体として構成され、生体内に挿通される細長な挿入部１１を有する。挿入部１１の先端側には、先端部１２が設けられている。また、挿入部１１の基端側は、図示しないコネクタなどが設けられており、内視鏡２は、このコネクタなどを介して、本体装置３と着脱自在に構成されている。【００１２】
先端部１２の先端面１２ａには、照明レンズ１３ａ，１３ｂにより構成される先端光学系１３が設けられている。なお、この先端光学系１３は、その中心が、先端部１２の先端面１２ａの中心と一致するように設けられている。【００１３】
また、挿入部１１の内部には、基端側から先端側へ挿通され、後述する光源ユニット２４からの光を導光し、生体に照明光を照射する光学素子としての照明ファイバ１４と、照明ファイバ１４の先端側に設けられ、後述するドライバユニット２５からの駆動信号に基づき、照明ファイバ１４の先端を所望の方向に走査させるアクチュエータ１５とが設けられている。このような構成により、照明ファイバ１４によって導光された光源ユニット２４からの照明光が被写体に照射される。【００１４】
また、挿入部１１の内部には、挿入部１１の内周に沿って基端側から先端側へ挿通され、被検体からの戻り光を受光する受光部としての検出ファイバ１６が設けられている。検出ファイバ１６の先端面は、先端部１２の先端面の先端光学系１３の周囲に配置される。この検出ファイバ１６は、少なくとも２本以上のファイババンドルであってもよい。内視鏡２が本体装置３に接続された際に、検出ファイバ１６は後述する分波器３６に接続される。【００１５】
また、挿入部１１の内部には、内視鏡２に関する各種情報を記憶したメモリ１７が設けられている。メモリ１７は、内視鏡２が本体装置３に接続された際に、図示しない信号線を介して、後述するコントローラ２３に接続され、内視鏡２に関する各種情報がコントローラ２３によって読み出される。【００１６】
本体装置３は、電源２１と、メモリ２２と、コントローラ２３と、光源ユニット２４と、ドライバユニット２５と、検出ユニット２６とを有して構成されている。光源ユニット２４は、３つの光源３１ａ，３１ｂ，３１ｃと、合波器３２と、を有して構成されている。【００１７】
ドライバユニット２５は、信号発生器３３と、デジタルアナログ（以下、Ｄ／Ａという）変換器３４ａおよび３４ｂと、アンプ３５とを有して構成されている。【００１８】
検出ユニット２６は、分波器３６と、検出器３７ａ〜３７ｃと、アナログデジタル（以下、Ａ／Ｄという）変換器３８ａ〜３８ｃとを有して構成されている。電源２１は、図示しない電源スイッチなどの操作に応じて、コントローラ２３への電源の供給を制御する。メモリ２２には、本体装置３全体の制御を行うための制御プログラムなどが記憶されている。【００１９】
コントローラ２３は、電源２１から電源が供給されると、メモリ２２から制御プログラムを読み出し、光源ユニット２４、ドライバユニット２５の制御を行うとともに、検出ユニット２６で検出された被写体からの戻り光の光強度の解析を行い、得られた被写体像をモニタ４に表示させる制御を行う。【００２０】
光源ユニット２４の光源３１ａ，３１ｂ，３１ｃは、コントローラ２３の制御に基づき、それぞれ異なる波長帯域の光、例えば、Ｒ（赤），Ｇ（緑），Ｂ（青）の波長帯域の光を合波器３２に出射する。合波器３２は、光源３１ａ，３１ｂ，３１ｃから出射されたＲ，Ｇ，Ｂの波長帯域の光を合波し、照明ファイバ１４に出射する。【００２１】
ドライバユニット２５の信号発生器３３は、コントローラ２３の制御に基づき、照明ファイバ１４の先端を所望の方向、例えば、螺旋状に走査させるための駆動信号を出力する。具体的には、信号発生器３３は、照明ファイバ１４の先端を挿入部１１の挿入軸に対して左右方向（Ｘ軸方向）に駆動させる駆動信号をＤ／Ａ変換器３４ａに出力し、挿入部１１の挿入軸に対して上下方向（Ｙ軸方向）に駆動させる駆動信号をＤ／Ａ変換器３４ｂに出力する。【００２２】
Ｄ／Ａ変換器３４ａおよび３４ｂは、それぞれ入力された駆動信号をデジタル信号からアナログ信号に変換し、アンプ３５に出力する。アンプ３５は、入力された駆動信号を増幅してアクチュエータ１５に出力する。駆動部としてのアクチュエータ１５は、アンプ３５からの駆動信号に基づいて、照明ファイバ１４の先端（自由端）を揺動させ、螺旋状に走査させる。これにより、光源ユニット２４から照明ファイバ１４に出射された光は、被検体に対して螺旋状に順次照射される。【００２３】
検出ファイバ１６は、被検体の表面領域で反射された戻り光を受光し、受光した戻り光を分波器３６に導光する。分波器３６は、例えば、ダイクロイックミラーなどであり、所定の波長帯域で戻り光を分波する。具体的には、分波器３６は、検出ファイバ１６により導光された戻り光を、Ｒ，Ｇ，Ｂの波長帯域の戻り光に分波し、それぞれ検出器３７ａ、３７ｂ，３７ｃに出力する。【００２４】
検出器３７ａ、３７ｂおよび３７ｃは、それぞれＲ，Ｇ，Ｂの波長帯域の戻り光の光強度を検出する。検出器３７ａ、３７ｂおよび３７ｃで検出された光強度の信号は、それぞれＡ／Ｄ変換器３８ａ、３８ｂ，３８ｃに出力される。Ａ／Ｄ変換器３８ａ〜３８ｃは、それぞれ検出器３７ａ〜３７ｃから出力された光強度の信号をアナログ信号からデジタル信号に変換し、コントローラ２３に出力する。【００２５】
コントローラ２３は、Ａ／Ｄ変換器３８ａ〜３８ｃからのデジタル信号に所定の画像処理を施して被写体像を生成し、モニタ４に表示する。【００２６】
ここで、挿入部１１の内部に設けられたアクチュエータ１５の詳細な構成について図２を用いて説明する。【００２７】
図２に示すように、照明ファイバ１４と、アクチュエータ１５との間には、接合部材としてのフェルール４１が配置されている。フェルール４１は、光通信の分野で用いられる部材であり、材質はジルコニア（セラミック）、ニッケルなどが用いられ、照明ファイバ１４の外径（例えば、１２５μｍ）に対して高精度（例えば、±１μｍ）での中心孔加工が容易に実現できる。【００２８】
フェルール４１は、図２に示すように、四角柱であり、Ｘ軸方向に対して垂直な側面４２ａ，４２ｃと、Ｙ軸方向に対して垂直な側面４２ｂ，４２ｄと、を有する。なお、フェルール４１は、四角柱に限定されるものではなく、角柱であればよい。フェルール４１の略中心には、照明ファイバ１４の径に基づいた中心孔加工が施され、照明ファイバ１４が接着剤などにより固定される。中心孔加工は、クリアランス（隙間）を極力小さくし、接着剤層を極力薄くする。また、接着剤は粘性の低いものを使用する。【００２９】
アクチュエータ１５は、アクチュエータ１５ａ〜１５ｄにより構成され、アクチュエータ１５ａ〜１５ｄは、四角柱のフェルール４１の各側面４２ａ〜４２ｄにそれぞれ位置される。アクチュエータ１５ａ〜１５ｄは、例えば、圧電素子（ピエゾ素子）であり、ドライバユニット２５からの駆動信号に応じて伸縮する。特に、アクチュエータ１５ａ，１５ｃは、Ｄ／Ａ変換器３４ａからの駆動信号に応じて駆動し、アクチュエータ１５ｂ，１５ｄは、Ｄ／Ａ変換器３４ｂからの駆動信号に応じて駆動する。これにより、アクチュエータ１５ａ〜１５ｄは、照明ファイバ１４の先端を揺動させ、照明ファイバ１４の先端を螺旋状に走査させる。なお、アクチュエータ１５ａ〜１５ｄは、圧電素子に限定されるものではなく、例えば、電磁駆動するコイルなどであってもよい。【００３０】
アクチュエータ１５ａ〜１５ｄのＧＮＤ電極は、フェルール４１にニッケルなどの導電素材を用いる場合、フェルール４１自体をＧＮＤ電極とする。また、アクチュエータ１５ａ〜１５ｄのＧＮＤ電極は、フェルール４１にジルコニアなどの非導電素材を用いる場合、フェルール４１の表面に導電膜加工を施し、ＧＮＤ電極とする。【００３１】
このように、内視鏡２は、アクチュエータ１５と照明ファイバ１４間に高精度な中心孔加工を施した接合部材であるフェルール４１を挿入することにより、照明ファイバ１４とフェルール４１との固定に必要な接着剤層を極力薄くし、温度変化の影響を極力低減し、照明ファイバ１４の安定駆動を実現している。【００３２】
次に、このように構成された内視鏡装置１の作用について図３および図４に基づいて以下に説明する。図３は、アクチュエータ１５に供給される信号波形の例を説明するための図であり、図４は、照明ファイバ１４の走査軌跡の例を説明するための図である。【００３３】
なお、図３（ａ）は、Ｄ／Ａ変換器３４ａからアンプ３５を介して出力される駆動信号の信号波形である。この信号波形は、照明ファイバ１４をＸ軸方向に駆動させるための駆動信号であり、アクチュエータ１５ａおよび１５ｃに供給される。【００３４】
また、図３（ｂ）は、Ｄ／Ａ変換器３４ｂからアンプ３５を介して出力される駆動信号の信号波形である。この信号波形は、照明ファイバ１４をＹ軸方向に駆動させるための駆動信号であり、アクチュエータ１５ｂおよび１５ｄに供給される。【００３５】
このＹ軸方向の信号波形は、Ｘ軸方向の信号波形の位相を９０°ずらした信号波形となっている。具体的には、Ｘ軸方向の信号波形とＹ軸方向の信号波形との位相差は、振動軸数Ｎが偶数の場合には下記の（式１）、振動軸数Ｎが奇数の場合には下記の（式２）により算出される。【００３６】
位相差＝３６０°／（２×振動軸数Ｎ）・・・（式１）
位相差＝３６０°／振動軸数Ｎ・・・（式２）
本実施の形態では、振動軸数Ｎが２（偶数：Ｘ軸およびＹ軸）のため、上記（式１）から、位相差は９０°となる。【００３７】
このように、ドライバユニット２５は、アクチュエータ１５ａ，１５ｃに出力する第１の駆動信号と、アクチュエータ１５ｂ，１５ｄに出力する第２の駆動信号とを生成し、第１の駆動信号の位相と第２の駆動信号の位相との位相差を振動軸数Ｎに基づいて制御する制御部を構成する。【００３８】
信号波形は、図３（ａ），（ｂ）に示すように、時間Ｔ１から時間Ｔ２にかけて徐々に振幅が大きくなり、時間Ｔ２で最大の振幅値となる。そして、信号波形は、時間Ｔ２から時間Ｔ３にかけて徐々に振幅が小さくなり、時間Ｔ３で最小の振幅値となる。【００３９】
このときの照明ファイバ１４の走査軌跡は、図４に示す軌跡となる。照明ファイバ１４の先端は、時間Ｔ１において、Ｘ軸とＹ軸との交点Ｏの位置となる。そして、照明ファイバ１４の先端は、時間Ｔ１から時間Ｔ２にかけて信号波形の振幅が大きくなると、交点Ｏから外側に螺旋状に走査され、時間Ｔ２において、例えば、Ｙ軸との交点Ｙ１の位置となる。さらに、照明ファイバ１４の先端は、時間Ｔ２から時間Ｔ３にかけて信号波形の振幅が小さくなると、図示を省略しているが、交点Ｙ１から内側に螺旋状に走査され、時間Ｔ３において、交点Ｏの位置となる。【００４０】
以上のように、内視鏡２は、アクチュエータ１５と照明ファイバ１４間に高精度な中心孔加工を施した接合部材であるフェルール４１を挿入するようにした。これにより、照明ファイバ１４とフェルール４１との固定に必要な接着剤層を薄くし、温度変化の影響を極力低減するようにしている。よって、この内視鏡は、温度変化の影響を低減し、フィードバック制御なしに照明ファイバの安定駆動を行うことができる構成となっている。【００４１】
（第１の実施の形態）
次に、以上に記載した走査型内視鏡２の光走査軌跡較正を行うための本発明の第１の実施の形態に係る走査型内視鏡用キャリブレーション器具について図面に基づいて以下に説明する。  
図５から図１３は、本発明の第１の実施の形態に係り、図５は挿入部が挿入される走査型内視鏡用キャリブレーション器具の構成を示す斜視図、図６は挿入部が挿入された状態の走査型内視鏡用キャリブレーション器具を示す斜視図、図７は走査型内視鏡用キャリブレーション器具の構成を示す断面図、図８は図７のＶＩＩＩ−ＶＩＩＩ線断面図、図９は挿入部が挿入された状態の走査型内視鏡用キャリブレーション器具を示す断面図、図１０は図９のＸ−Ｘ線断面図、図１１は変形例の挿入部が挿入された状態の走査型内視鏡用キャリブレーション器具の構成を示す断面図、図１２は図１１のＸＩＩ−ＸＩＩ線断面図、図１３は走査型内視鏡用キャリブレーション器具に挿入された挿入部の軸合わせ構成を示す断面図である。【００４２】
本実施の形態の走査型内視鏡用キャリブレーション器具（以下、単にキャリブレーション器具という）６０は、図５から図７に示すように、一端側が閉塞した有底筒体である。キャリブレーション器具６０は、先端側に配設される有底筒部６１と、この有底筒部６１に、ここでは螺合して連設された基端側に配設される無底筒部６２と、を有して構成されている（図７参照）。なお、有底筒部６１と無底筒部６２との接続固定は、螺着に限定されることなく、嵌合、圧入、ビス止めなどとしても良い。このキャリブレーション器具６０は、無底筒部６２の基部側の開口部６５から上述の内視鏡２における挿入部１１の先端側が挿入され、先端部１２が略収容される長さを有している。【００４３】
有底筒部６１は、先端側に端部を閉塞する底部６４が設けられている。この底部６４の内部側の壁面（底面）６４ａには、図８に示す、表面に中心点対称の模様である較正パターンが印刷などされて描かれたパネル状のチャート６３が設けられている。このチャート６３に描かれた較正パターンは、内視鏡２に設定された焦点距離に応じた大きさが設定されている。なお、有底筒部６１は、黒色の樹脂により形成されているか、内壁面が黒色塗装されていることが望ましい。【００４４】
無底筒部６２は、図９および図１０に示すように、有底筒部６１と螺合される先端側の開口部６６から内径方向に延設された複数、ここでは４つの突当部としての突起部６７が形成されている。即ち、これら４つの突起部６７は、無底筒部６２の先端側の開口端から内方に向けて突起するように形成されている。この無底筒部６２も、黒色の樹脂により形成されているか、少なくとも、有底筒部６１と連結されて形成される空間側の壁面、つまり、突起部６７が形成された先端面が黒色塗装されていることが望ましい。【００４５】
これら４つの突起部６７は、挿入された内視鏡２の先端部１２の先端面１２ａが当接して突き当たる突起量が設定されている。ここでは４つの突起部６７が先端部１２の先端面１２ａに設けられた検出ファイバ１６の検出窓１６ａを外方から所定の範囲だけ覆う位置まで内方に向けて突起形成されている。【００４６】
また、これら４つの突起部６７は、検出窓１６ａを覆う範囲が検出ファイバ１６により戻り光が検出できるだけの検出窓１６ａが露出する面積を確保できれば良い大きさ（面積）に設定され、透明（光透過性）としても良い。なお、４つの突起部６７は、検出ファイバ１６の検出窓１６ａを覆わず、先端面１２ａの検出窓１６ａよりも外方の枠だけを当接させることが望ましい。【００４７】
内視鏡２の検出窓１６ａは、検出ファイバ１６の端面上に薄膜の透明樹脂が形成され、先端部１２の先端面１２ａと同一面内に平面形成されて面位置が一致しているものである。なお、この検出窓１６ａは、透明樹脂に限定されることなく、透明なカバーガラスなどでも良い。【００４８】
さらに、これら４つの突起部６７は、図１０に示すように、ここでは半円形状としているが、この形状に限定されないものである。また、内視鏡２の照明レンズ１３ａ，１３ｂにより構成される先端光学系１３の照明窓１３ｃ（図９および図１０参照）も、先端部１２の先端面１２ａと同一面内に平面形成されて面位置が一致しているものである。  
なお、４つの突起部６７は、上述では、検出窓１６ａの表面に当接するように構成されているが、先端部１２の先端面１２ａにて、最も先端側に突起した部分に当接して突き当たるようにすることが望ましい。【００４９】
以上のように構成された本実施の形態のキャリブレーション器具６０は、内視鏡２の挿入部１１の先端部分が無底筒部６２の基端の開口部６５から挿入され、先端部１２の先端面１２ａが４つの突起部６７に当接することで挿入量が位置決めされる。【００５０】
この状態において、キャリブレーション器具６０は、内視鏡２の先端部１２の先端面１２ａと有底筒部６１の壁面に設けられたチャート６３の表面までの所定の距離Ｌ１（図９参照）が規定される。なお、キャリブレーション器具６０は、先端部１２の先端面１２ａと有底筒部６１の壁面に設けられたチャート６３の表面が、言うまでもないが対向して平行となるように底部６４および４つの突起部６７が構成されており、チャート６３の較正パターンと先端部１２の先端面１２ａとが平行配置される。【００５１】
上述の所定の距離Ｌ１は、ここでの内視鏡２が照明光の戻り光を検出して画像処理における画像較正を行うときの適正な距離であって、チャート６３の較正パターンの大きさに応じた、先端部１２の先端面１２ａからチャート６３の表面までの理想的な距離が設定されている。即ち、所定の距離Ｌ１は、有底筒部６１に無底筒部６２が連結されて形成される有底筒部６１内の空間において、軸方向（長手軸）の距離に有底筒部６１の底面としての壁面６４ａに設けられたチャート６３の厚さを減算し、無底筒部６２の先端に形成された突起部６７の厚さを加算した距離であって、内視鏡２が取得した画像を較正する理想的なチャート６３の表面までの較正距離が規定される。なお、有底筒部６１は、所定の距離Ｌ１に応じた軸方向（長手軸方向）の長さが設定されているものである。また、較正パターン（図８参照）は、有底筒部６１の壁面６４ａに直接、描かれた構成として、も良い。【００５２】
ところで、内視鏡２は、取得した画像を較正するとき、照明光が出射される先端光学系１３の照明窓１３ｃの表面位置からチャート６３の較正パターンまでの距離が重要となる。そのため、図１１および図１２に示すように、４つの突起部６７が先端光学系１３の照明窓１３ｃの表面に当接して突き当たる突起量としても良い。なお、これら４つの突起部６７は、照明ファイバ１４から照射されて先端光学系１３により屈折された照明光の光線Ｒが通過しない照明窓１３ｃの表面領域内にそれぞれの突起量が設定されているものである。即ち、これら４つの突起部６７は、照明光を遮光しない位置において照明窓１３ｃの表面と当接する。【００５３】
このように、内視鏡２は、４つの突起部６７が先端部１２の照明窓１３ｃの表面に当接して、キャリブレーション器具６０への挿入部１１の挿入方向、即ち、長手軸方向の挿入位置が位置決めされて規定されるため、適正で理想的な所定の距離Ｌ１で画像較正が行える。【００５４】
さらに、ここでの内視鏡２は、上述したように、先端光学系１３の中心が先端部１２の先端面１２ａの中心と一致するように設けられている構成であるため、キャリブレーション器具６０と挿入部１１の先端部１２の中心位置を規定するため、例えば、図１３に示すように、挿入部１１の先端部１２の外径φ１に対して無底筒部６２の孔径φ２を例えば、０．０１ｍｍの誤差範囲で一致（φ１＝φ２±０．０１ｍｍ）するように設定して、機械的精度でキャリブレーション器具６０と先端部１２の径方向の中心位置合わせが行なえる構成としても良い。【００５５】
これにより、内視鏡２の照明ファイバ１４が走査していない状態において、この照明ファイバ１４から照射された照明光のスポットが較正パターンの中心と一致し、較正パターンに対する内視鏡２の先端部１２の適正で理想的な中心位置を規定することができる。なお、内視鏡２の照明ファイバ１４が走査していない状態の照射された照明光のスポット位置を較正パターンの中心と一致させることで、勿論、走査している状態の照明ファイバ１４からの照明光の走査中心が較正パターンの中心と一致するものである。【００５６】
以上のように本実施の形態のキャリブレーション器具６０は、内視鏡２の先端部１２の画像較正を正確に行える装着位置への位置決めを容易に規定することができる構成とすることができる。【００５７】
（第２の実施の形態）
次に、本発明の第２の実施の形態の走査型内視鏡用キャリブレーション器具について説明する。  
図１４から図１７は、本発明の第２の実施の形態に係り、図１４は挿入部が挿入された状態の走査型内視鏡用キャリブレーション器具の構成を示す断面図、図１５は図１４のＸＶ線矢視図、図１６は図１４のＸＶＩ−ＸＶＩ線断面図、図１７は変形例の挿入部が挿入された状態の走査型内視鏡用キャリブレーション器具の構成を示す断面図である。なお、ここでの走査型内視鏡用キャリブレーション器具６０の構成は、第１の実施の形態の変形例であり、既述の構成については、同一の符号を付して説明を省略する。【００５８】
ここでは、上述したように、先端光学系１３の中心が先端部１２の先端面１２ａの中心と一致するように設けられている内視鏡２が取得した画像を較正するときに用いられるキャリブレーション器具６０において、キャリブレーション器具６０への先端部１２の径方向の中心位置合わせを容易に行える構成を例示する。【００５９】
具体的には、本実施の形態のキャリブレーション器具６０は、図１４および図１５に示すように有底筒部６１の底部６４の中心に、照明ファイバ１４からの照明光のスポットサイズ程度の大きさの貫通孔６４ｂが形成されている。また、図１４および図１６に示すように、チャート６３も、表面に描かれた較正パターンの中心に、底部６４の貫通孔６４ｂと同等の大きさの貫通孔６３ａが形成されている。また、キャリブレーション器具６０は、各貫通孔６４ｂ，６３ａが重畳して連通するように、有底筒部６１の底部６４にチャート６３が配設されている。【００６０】
以上のように構成されたキャリブレーション器具６０を用いて、内視鏡２の取得画像の較正を行うとき、ユーザは、走査していない状態の照明ファイバ１４から照射された照明光が有底筒部６１の底部６４およびチャート６３の中心に形成されて連通する各貫通孔６４ｂ，６３ａを通過する位置に無底筒部６２に挿入した内視鏡２の先端部１２の径方向の位置を合わせることで、簡単にキャリブレーション器具６０と先端部１２の径方向の中心位置合わせが行なうことができる。即ち、ユーザは、底部６４の貫通孔６４ｂから内視鏡２の照明光が見える位置に先端部１２の径方向の位置を調節するだけで、キャリブレーション器具６０と先端部１２の径方向の中心位置合わせが行なえる。ここでも、内視鏡２の照明ファイバ１４が走査していない状態の照射された照明光のスポット位置を有底筒部６１の底部６４およびチャート６３の中心に形成された各貫通孔６４ｂ，６３ａを通過するように位置合わせることで、勿論、走査している状態の照明ファイバ１４からの照明光の走査中心が較正パターンの中心に一致するものである。【００６１】
なお、キャリブレーション器具６０は、図１７に示すように、有底筒部６１の底部６４の中心に、チャート６３の貫通孔６３ａに重畳する光検出器６８が設けられ、この光検出器６８に配線６８ａを介して接続されたＬＥＤなどが点灯／消灯する表示装置６９を有底筒部６１の外周部に設けた構成としても良い。なお、光検出器６８および表示装置６９は、キャリブレーション器具６０に設けられた、バッテリまたは外部電源と接続される電源コードにより電力供給されるものである（いずれも不図示）。【００６２】
このように構成されたキャリブレーション器具６０では、走査していない状態の照明ファイバ１４から照射された照明光がチャート６３の貫通孔６３ａを通過して、光検出器６８で検出されると表示装置６９が点灯などする。これによりユーザは、キャリブレーション器具６０の無底筒部６２に挿入した内視鏡２の先端部１２の径方向の位置を表示装置６９が点灯などする位置に調節することで、簡単にキャリブレーション器具６０と先端部１２の径方向の中心位置合わせが行なえる。【００６３】
（第３の実施の形態）
次に、本発明の第３の実施の形態の走査型内視鏡用キャリブレーション器具について説明する。なお、ここでは、上述の第２の実施の形態の構成に加え、キャリブレーション器具６０に先端部１２の径方向の中心位置を調整すると共に、先端部１２の位置を固定する芯出し調整機構としての位置調整機構を設けた構成を例示する。【００６４】
図１８から図２０は、本発明の第３の実施の形態に係り、図１８は挿入部が挿入された状態の位置調整機構を有する走査型内視鏡用キャリブレーション器具の構成を示す断面図、図１９は図１８のＸＩＸ−ＸＩＸ線断面図、図２０は挿入部が挿入された状態の位置調整機構および傾き調整機構を有する走査型内視鏡用キャリブレーション器具の構成を示す断面図である。なお、ここでも走査型内視鏡用キャリブレーション器具６０の構成は、第１および第２の実施の形態にて既述の構成については、同一の符号を付して説明を省略する。【００６５】
本実施の形態のキャリブレーション器具６０は、図１８に示すように、有底筒部６１の底部６４の中心およびチャート６３の較正パターンの中心のそれぞれに貫通孔６４ｂ，６３ａを設けて、先端部１２の径方向の中心位置合わせを容易に行える構成に加え、先端部１２の径方向の中心位置を調整して固定する位置調整機構７０を備えている。【００６６】
位置調整機構７０は、ツマミ７１と、このツマミ７１に連結されたネジ部７２と、このネジ部７２が回動自在に配設されたブロック状の保持体７３と、を有して構成されている。この位置調整機構７０は、図１９に示すように、無底筒部６２の周回りの垂直水平（図面中、Ｘ−Ｘ´／Ｙ−Ｙ´の上下左右）に十字状となるように４つ配設されている。【００６７】
位置調整機構７０のネジ部７２は、無底筒部６２の肉厚部に螺合しており、無底筒部６２の外周部から突出するように配置されるツマミ７１の回動操作により軸方向に進退移動される。また、保持体７３は、先端部１２の外周面と対向する面が曲面形成されて先端部１２に面接触し、ネジ部７２の軸方向の進退移動に追従して移動する。【００６８】
以上のように構成されたキャリブレーション器具６０は、４つの位置調整機構７０のツマミ７１のそれぞれが回動操作され、内視鏡２の先端部１２に接触する保持体７３の位置を底部６４の貫通孔６４ｂから照明ファイバ１４からの照明光が見える位置に調整することができる。つまり、キャリブレーション器具６０は、４つの位置調整機構７０により先端部１２の径方向の位置を図１９のＸ−Ｘ´／Ｙ−Ｙ´方向に移動調整することができる。なお、キャリブレーション器具６０は、４つの位置調整機構７０の各保持体７３によって先端部１２の外周部を保持し、移動調整した先端部１２の径方向の位置を固定することもできる。【００６９】
なお、キャリブレーション器具６０は、４つの位置調整機構７０に加え、図２０に示す、傾き調整機構８０を設けても良い。  
具体的には、傾き調整機構８０は、ツマミ８１と、このツマミ８１に連結されたネジ部８２と、このネジ部８２が回動自在に配設されたブロック状の移動体８３と、この移動体８３をガイドするガイド体８４と、を有している。【００７０】
傾き調整機構８０のネジ部８２は、無底筒部６２の肉厚部に螺合しており、無底筒部６２の外周部から突出するように配置されるツマミ７１の回動操作により軸方向に進退移動される。移動体８３は、ネジ部７２の軸方向の進退移動に追従して移動する。この移動体８３は、内視鏡２の先端部１２が挿通する孔部である挿通部８３ａを有し、先端面が球欠凹状の曲面８３ｂとなっている。【００７１】
ガイド体８４は、無底筒部６２の内部に固定され、内視鏡２の先端部１２が挿通する孔部である挿通部８４ａを有している。この挿通部８４ａは、先端部１２の外形よりも大きく、前方に向けて拡径するテーパ状の内面を有している。また、ガイド体８４の基端面は、球欠凸状の曲面８４ｂとなっている。そして、ガイド体８４の曲面８４ｂと移動体８３の曲面８３ｂとが面接触するように、ガイド体８４の後方に移動体８３が連設されている。【００７２】
このように構成されたキャリブレーション器具６０では、傾き調整機構８０のツマミ８１を回動操作することで、移動体８３がガイド体８４の曲面８４ｂに沿った傾倒移動に伴い、この移動体８３に挿通する先端部１２も傾倒するため、先端部１２の傾きを調整することができる。【００７３】
なお、本実施の形態のキャリブレーション器具６０では、有底筒部６１の底部６４の中心に貫通孔６４ｂが設けられた構成を例示しているが、これに限定されることなく、第２の実施の形態の光検出器６８を有した構成にも、位置調整機構７０および傾き調整機構８０を設けても良い。【００７４】
なお、上述の実施の形態に記載した発明は、その実施の形態および変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。【００７５】
例えば、実施の形態に示される全構成要件から幾つかの構成要件が削除されても、述べられている課題が解決でき、述べられている効果が得られる場合には、この構成要件が削除された構成が発明として抽出され得るものである。【００７６】
本出願は、２０１２年５月２３日に日本国に出願された特願２０１２−１１７７６９号を優先権主張の基礎として出願するものであり、上記の内容は、特願２０１２−１１７７６９号の明細書、請求の範囲、および図面に引用されたものである。
【要約】
走査型内視鏡用キャリブレーション器具６０は、走査型内視鏡２の挿入部１１の先端部１２の先端面１２ａの最も先端側に突出した部位と当接して突き当たる突き当て部６７と、較正パターンが描かれ、この較正パターンの大きさに応じて突き当て部６７に部位が当接して位置決めされた先端面１２ａから所定の距離を有して先端面１２ａと平行配置されるチャート６３と、を有することで、簡単な構成により、走査型内視鏡の画像較正を正確に行える。【図１】
0005469280.tif 000002
【図２】
0005469280.tif 000003
【図３】
0005469280.tif 000004
【図４】
0005469280.tif 000005
【図５】
0005469280.tif 000006
【図６】
0005469280.tif 000007
【図７】
0005469280.tif 000008
【図８】
0005469280.tif 000009
【図９】
0005469280.tif 000010
【図１０】
0005469280.tif 000011
【図１１】
0005469280.tif 000012
【図１２】
0005469280.tif 000013
【図１３】
0005469280.tif 000014
【図１４】
0005469280.tif 000015
【図１５】
0005469280.tif 000016
【図１６】
0005469280.tif 000017
【図１７】
0005469280.tif 000018
【図１８】
0005469280.tif 000019
【図１９】
0005469280.tif 000020
【図２０】
0005469280.tif 000021